Podtech/llm-jp-corpus-v4-ja_patent huggingface dataset:
(57)【要約】      （修正有）【課題】一ケ月分の日付を一面に記した用紙を一年分合わせ側面で綴じ、開いた状態で屏風のように立てて卓上に置く卓上カレンダーを提供する。【解決手段】一ケ月分の日付を一面に記した用紙を一年分合わせ側面で綴じ、これを開いた状態で屏風のように立てて卓上に置き、両側の用紙を一対として使用するようにしたもので、開いた状態で屏風のように立てて卓上に置くと、相対する一方は日付が記されていて、他方は日付を記した裏面で白紙なので、ここへ日付に合わせ必要事項を詳しく書くことができる。【選択図】図１
0003229184.tif 000002
【実用新案登録請求の範囲】
【請求項１】
用紙の一面に一ケ月分の日付を記したもの一年分を合わせ側面で綴じ、開いた状態で屏風のように立てて卓上に置く卓上カレンダー。
【考案の詳細な説明】
【技術分野】
【０００１】  本考案は一ケ月分の日付を一面に記した用紙を一年分合わせ、帳面のように側面で綴じ開いた状態で屏風のように立てて卓上に置く卓上カレンダーに関するものである。
【背景技術】
【０００２】  従来の卓上カレンダーは日付を囲んだ枠の中に必要事項を記入する仕様で、スペースが狭く詳しく書くことができない。
【考案の概要】
【考案が解決しようとする課題】
【０００３】  従来の卓上カレンダーは日付を囲んだ枠の中に必要事項を記入する仕様で、スペースが狭く詳しく書くことができない。そこで、一ケ月分の日付を一面に記した用紙を一年分合わせ側面で綴じた卓上カレンダーを、開いた状態で屏風のように立てて卓上に置くと、相対する一方は日付が記されていて、他方は日付を記した裏面で白紙なので、この広いスペ―スに日付に合わせて必要事項を詳しく書くことができるようにしたものである。
【課題を解決するための手段】
【０００４】  本考案は一ケ月分の日付を一面に記した用紙を一年分合わせ側面で綴じ、これを開いた状態で屏風のように立てて卓上に置き、両側の用紙を一対として使用するようにした卓上カレンダーで、開いた状態で屏風のように立てて卓上に置くと、相対する一方は日付が記されていて、他方は日付を記した裏面で白紙なので、ここへ日付に合わせて必要事項を詳しく書くことができる。
【考案の効果】
【０００５】  用紙の一面に一ケ月分の日付を記したもの一年分を合わせ、側面で綴じた卓上カレンダ―を開いた状態で屏風のように立てて卓上に置くと、相対する一方は日付が記されていて他方は日付を記した裏面で白紙なので、この広いスペースに、日付に合わせて必要事項を詳しく書くことができる。また、日付を記した周りに余白を設ける必要がないので、卓上カレンダーをより小型にすることができる。
【図面の簡単な説明】
【０００６】
【図１】本考案の屏風のように立てて置く卓上カレンダーを開いて立てた斜視図。
【図２】本考案の屏風のように立てて置く卓上カレンダーの開いた状態の正面図。
【考案を実施するための形態】
【０００７】  本考案の屏風のように立てて置く卓上カレンダーは、用紙の一面に一ケ月分の日付を記したもの一年分を合わせ側面で綴じ、卓上に置く時は開いた状態で屏風のように立てて置くと、相対する一方は日付が記されていて、他方は日付を記した裏面で白紙なので、この広いスペースに、日付に合わせて必要事項を詳しく書くことができる。
【実施例】
【０００８】  以下、添付図面に従って実施例を説明する。図１のように卓上カレンダーを開いた状態で屏風のように卓上に立てて置く。図２のように、卓上カレンダーを開くと一方には日付が記されていて、他方は白紙なので、ここへ日付に合わせて必要事項を記入する。
【図１】
0003229184.tif 000003
【図２】
0003229184.tif 000004
【手続補正書】
【提出日】令和2年8月11日(2020.8.11)
【手続補正１】
【補正対象書類名】実用新案登録請求の範囲
【補正対象項目名】全文
【補正方法】変更
【補正の内容】
【実用新案登録請求の範囲】
【請求項１】
ハガキの形状を有する卓上カレンダーの用紙の一面に、各月一ケ月分の日付を記し、その用紙一年分を重ねたものにおける側面側を綴じ、開いた状態で屏風のように立てて卓上に置く卓上カレンダー。
(57)【要約】      （修正有）【課題】マスクを長時間使用する際の耳の痛みを緩和し、飲食などで一時的にマスクを外す際、テーブル上などに置かなくても良く、衛生面、紛失防止の効果を有するマスク専用ストラップを提供する。【解決手段】独立したストラップ形状のマスク専用ストラップであって、ストラップ本体２と、当該ストラップ本体の両端に設けられたマスク取り付けフック３と、コードストッパー１を備え、マスク使用時はマスクの両側のゴム紐にストラップ本体をマスク取り付けフックにて接続し、コードストッパーにて後頭部に装着して、マスクのゴム紐を後頭部方向に引っ張ってゴム紐が耳に当たらないように固定し、マスクを一時的に外したい場合は後頭部のコードストッパーを最大に緩め、ストラップ本体を首にかける状態にし、マスクは胸部付近にぶら下げる。【選択図】図２
0003229186.tif 000002
【実用新案登録請求の範囲】
【請求項１】
マスク装着時は、両側のマスク紐と後頭部に装着したストラップによってマスク紐が直接耳にあたることを回避し、マスクを長時間使用した際、耳が痛くなる症状を緩和させる。飲食などで一時的にマスクを外す際は、後頭部のストラップの紐を緩め、マスクを外すが、その際にマスクをあごに引っ掛けるのではなく、胸部前に宙づりにすることによって、マスクをテーブルなどに置くこともなく衛生的に自身所有のマスクを保持できる。また、マスクは肌身離さず首からぶら下がっている状態なのでマスクを外した際の置き忘れ防止にもなる。また、マスク本体に考案を盛り込むのではなく、独立したストラップ形状のみにすることにより、マスクの形状、種類を問わず使用できるため、パンデミック等で世界的なマスクの枯渇の際に、手づくりマスク等にも本考案の利便性が享受できる特徴をもつマスク専用ストラップ
【考案の詳細な説明】
【技術分野】
【０００１】  本考案は、マスクを長時間着用する際の不快さと不便さを解決するために、どんなマスクにも取り付けられる、マスク使用の際の補助ストラップである
【背景技術】
【０００２】  新型コロナウイルスの影響で、世界中の人がマスクすることが感染防止の常識となっているが、マスクは長時間着用すると耳が痛くなるという不快がある。耳が痛くならないマスクについては先行技術のマスクも存在するが、新型コロナウイルスのように世界的なパンデミック状態の場合、先行技術が組み込まれた既製品マスクは入手困難となり、どのようなマスクでも耳が痛くならず快適に長時間使用できるマスク補助器具が必要。
また飲食の際にマスクを外して置く場所に衛生的な問題が発生している。簡易的にマスクをあごに引っ掛けて口元を露出する行為は、不衛生であり、間違った使用方法と厚生労働省も指摘している。しかしながらウイルスに汚染されたテーブル上に置くとマスクが汚染される。その逆で感染者がマスクをテーブル等に置くと、テーブルが汚染される。感染者が飲食した後、マスクを置き忘れると、その後清掃する人間への感染の拡大が懸念されるという連鎖的な問題が生じている。
マスクを外した際はマスクを一時的に保管できるケースを用意するということが一番だが、生活習慣的にマスクケースを持ち歩く、ケースにしまうという行為が、不衛生な人間ほどハードルが高い、面倒くさいということもあり、どんなひとでも簡便にマスク使用時の衛生行為が持続できることが望まれている。
【先行技術文献】
【特許文献】
【特許文献】特許第６２９７７１２号
【考案の概要】
【考案が解決しようとする課題】
【０００３】  衛生マスクを長時間着用すると耳が痛くなるという課題。長時間着用間に食事タイミングが発生した場合、マスクをとらなければならず、外したマスクの一時的な置き場所に困るという課題。マスクを外した際、置き忘れるなどの衛生的な問題が発生するという課題。新型コロナの様な大規模な流行の際、市販マスクが入手できず、手づくり製品や耳が痛くなるような粗悪な既製品マスクを使用しなければならないという課題。
それらをひとつの補助器具で解決しようとするものである。
【課題を解決するための手段】
【０００４】  本考案はどんなマスクにもつけられるストラップのみの構造物である。使用者は、どんなマスクにも取り付け可能である。マスク使用時はマスクの両側のゴム紐に本体ストラップを接続し、後頭部に装着しストッパーにて固定する。マスクを飲食などで一時的に外したい場合は後頭部のストッパーを最大に緩め、本体ストラップを首にかける状態にし、マスクは胸部付近にぶら下げることによってテーブル上に置くことなく、またケースなど別の付属品を使用することもなく、マスクを衛生的に保持する。
【考案の効果】
【０００５】  上述の様に、マスクを長時間使用しても耳が痛くならない。どんなマスクにも使用できるという基礎能力はもちろん、飲食中、マスク外したい場合でも調整ストッパーを長く伸ばすことによって一時的に顔から離して首からぶらさげて空中で保持でき、マスクをあごに引っ掛けているより遥かに衛生的で、且つマスクの紛失もなく、他人が取り違えて使用することもない。面倒な行為は一切ないので無精な人でも衛生的なマスク使用を継続することができる。
【図面の簡単な説明】
【０００６】
【図１】本考案の全体図である。
【図２】マスク装着時の形態側面図である。
【図３】マスクを外して首からぶら下げた時の形態正面図である。
【考案を実施するための形態】
【実施例】
【０００７】  マスクの装着方法はストラップ本体［２］を首にかけ、両端のマスク紐取り付けフック［３］にてマスク紐を取り付ける。一旦マスク紐を耳にかけた後、コードストッパー［１］をスライドさせて後頭部に固定させる。この時、マスクのゴム紐耳に当たらなくなる位置までコードストッパーを移動させる。マスクを一時的に外して飲食等を行う場合はコードストッパー［１］を緩めてマスク本体［４］を首からぶら下げ、宙づり状態にする。
【符号の説明】
【０００８】１  コードストッパー
２  ストラップ本体
３  マスク紐取り付けフック
４  マスク本体（一般的なものであり考案に含まれない）
【図１】
0003229186.tif 000003
【図２】
0003229186.tif 000004
【図３】
0003229186.tif 000005
【手続補正書】
【提出日】令和2年8月7日(2020.8.7)
【手続補正１】
【補正対象書類名】実用新案登録請求の範囲
【補正対象項目名】全文
【補正方法】変更
【補正の内容】
【実用新案登録請求の範囲】
【請求項１】
独立したストラップ形状のマスク専用ストラップであって、前記マスク専用ストラップは、ストラップ本体と、当該ストラップ本体の両端に設けられたマスク取り付けフックと、コードストッパーを備え、マスク使用時はマスクの両側のゴム紐に前記ストラップ本体を前記マスク取り付けフックにて接続し、前記コードストッパーにて後頭部に装着して、マスクのゴム紐を後頭部方向に引っ張ってゴム紐が耳に当たらないように固定し、マスクを一時的に外したい場合は後頭部の前記コードストッパーを最大に緩め、前記ストラップ本体を首にかける状態にし、マスクは胸部付近にぶら下げることを特徴とするマスク専用ストラップ。
(57)【要約】      （修正有）【課題】部品点数が少なく構造が簡単で、安価なケーブルドラム収納機を提供する。【解決手段】ケーブルドラム収納機は、Ｌ型金具１の中間部に金属のボール収納部２を設けたものを十字型に接合したものと、円板３の中央部に穴をあけたものと、パイプ４から構成される。部品点数も少なく簡単にドラムを収納できる。【選択図】図１
0003229183.tif 000002
【実用新案登録請求の範囲】
【請求項１】
Ｌ字金具を十文字形に溶接加工しＬ字金具の中間部に金属のボール収納部を設け、又中央（交差）部にパイプを溶接。
Ｌ字金具上を円板の中央に穴空けた物を置き、その上にドラムを置きドラムの穴よりパイプを差し込んで固定したことを特徴とするケーブルドラム収納機である。
【考案の詳細な説明】
【技術分野】
【０００１】  本考案は、Ｌ型金具と円板と中央部支柱から成るものであり、ケーブルドラムを収納するものである。
【背景技術】
【０００２】  ケーブルドラムを収納するものは高価であり、購入は何台もできなかったが本考案は安価である。
【考案の開示】
【考案が解決しようとする課題】
【０００３】  本考案の機具は、安価にでき数台購入でき、前途の欠点を解決しようとするものである。
【課題を解決するための手段】
【０００４】  本考案は、部品点数も少なく構造も簡単で、問題点を解決している。
【考案の効果】
【０００５】  上途のように、考案の機具を使うことで作業の効率向上が望めるため取扱い者に役立っている。
【考案を実施するための最良の形態】
【０００６】  Ｌ字金具を十字形に加工し、その中央部にボール収納部を付け、円板が回転しやすくし、ケーブル固定に中央部にパイプを付けた（溶接加工）ものである。
【実施例】
【０００７】  以下、添付図面に従って実施例を説明する。１はＬ型金具、２は金属ボール収納部（グリースを入れる）３は円板（中央部に穴）４はパイプ、５はパイプの受棒で（Ｌ型金具に溶接）、３の円板上で回転する。【０００８】  本考案の実施例は、上途の如き構成からなるものであり、ドラム取扱いに有効である。
【図面の簡単な説明】
【０００９】
【図１】正面図
【図２】側面図
【符号の説明】
【００１０】  １  Ｌ型金具
２  ボール収納器
３  円板
４  パイプ
５  パイプ受棒
【図１】
0003229183.tif 000003
【図２】
0003229183.tif 000004
【手続補正書】
【提出日】令和2年5月28日(2020.5.28)
【手続補正１】
【補正対象書類名】実用新案登録請求の範囲
【補正対象項目名】全文
【補正方法】変更
【補正の内容】
【実用新案登録請求の範囲】
【請求項１】
Ｌ型金具を十文字形に溶接加工し、Ｌ型金具の中間部に金属のボール収納部を設け又、中央で交差しＬ型金具を溶接したその上に円板の中央に穴をあけた物を置き、その上にドラムを置きドラムの穴よりパイプをさし込んで固定したことを特徴とするケーブルドラム収納機。
【手続補正書】
【提出日】令和2年8月8日(2020.8.8)
【手続補正１】
【補正対象書類名】実用新案登録請求の範囲
【補正対象項目名】全文
【補正方法】変更
【補正の内容】
【実用新案登録請求の範囲】
【請求項１】
ケーブルドラム収納器において（１）Ｌ型金具の中間部に金属のボール収納部を設けたものを十字型に接合したものと（２）円板の中央部に穴をあけたものと（３）パイプから構成されることを特徴とするケーブルドラム収納器。
(57)【要約】      （修正有）【課題】赤ちゃんから大人まで、又全ての接客業の従事者が安心して使用可能で、且コストパフォーマンスの高いタイプフェイスシールドを固定する構造を提供する。【解決手段】デパート、コンビニ、スーパーなどでの対面販売やホテル等の受付での接客時の咳、唾液の飛沫防止対策を目的とする為、フェイスシールドの頭部への固定ベルト片側両サイドをギザギザ形状とし、他一方にベルト挿入用の穴を設置することで、使用者の頭部サイズに合致する位置で、ギザギザの突起部を穴部と嵌合して固定する。【選択図】図１
0003229189.tif 000002
【実用新案登録請求の範囲】
【請求項１】
デパート、コンビニ、スーパーなどの対面販売、ホテルの受付業務の接客時の咳、唾液の飛沫防止用途で考案した３０ｇの超軽量のフェイスシールドです。
［図１］の通り、固定ベルトの左側に固定用ギザギザ加工を施し、右側にはギザギザ部を固定する挿入用の抜き部を設定することでワンタッチで頭部に固定することができる。
・フリーサイズで使用者の頭部サイズにフィットした所での固定が可能になる。
・装着用のマジックテープやその他の固定手法を取らない為その分軽量化され頭部への負担が少なくなる。
・全てスポンジ系材料で製造しているため、金属等のアレルギーを持った方の使用も可能となる。
・マジックテープ等を使っていないため、製造コストを削減できる。
・頭部への固定角度をフレキシブルに変えることができフェイスシールドを顔面に対し平行にも、斜めにも調整することができる。
【請求項２】
従来フェイスシールドは頭部ベルト部とフェイスシール本体を接着して一体構造としていたが、対象品は頭部ベルトを細く、薄くし、又フェイスシールド上部の２か所に組み立て用の挿入穴を設けることで図１及び図２で示す様に接着することなく一体化（組み立て）が可能となった。
・接着しないため、接着剥がれの問題が解消した。
・接着剤を使わない分、軽量化した。
・組み立て式の為、保管・輸送がパーツででき、保管スペース、輸送スペースが削減され、その分保管・輸送コストが下がる。
・納入後、シールド部、固定ベルト部の個別の交換が可能となる。
【考案の詳細な説明】
【技術分野】
【０００１】  本考案は、従来の接着固定式から組み立て一体式に変更し、さらに固定バンドの頭部への固定方法にも着目したフェイスシールドに関するものである。
【背景技術】  従来のフェイスシールドはフレーム部に樹脂或いはメタル等が使われている場合が多かった。スポンジを使用したフェイスシールドも一部あったがいずれも装着時の頭部への圧迫感、接着時の安定性等が課題であった。【０００２】金属・樹脂等のフレームの場合、重量の関係で子供・赤ちゃん等に仕様することは不可能であった。又金属フレームの場合は、金属アレルギーの方は使用できなかった。【０００３】  従来のフェイスシールドは接着等による固定タイプが多く、
輸送時、保管時のスペースの問題とそれに伴うコストの問題があった。【０００４】  頭部サイズにより、男性用、女性用、子供用の３種類のサイズが必要であった。
【考案の概要】
【考案が解決しようとする課題】  ＜取組事項＞
［ワンタッチかつフリーサイズで装着可能な超軽量の組み立て式フェイスシールドの開発］
＜課題の具体的な項目＞
▲１▼赤ちゃん、子供でも使える超軽量フェイスシールド。
▲２▼金属アレルギーの方でも使えるフェイスシールド。
▲３▼ソフトタッチで違和感のないフェイスシールド。
▲４▼頭部バンドをフリーサイズ対応にすることで男性用と女性用を統合。
▲５▼シールド部分と顔面部分の角度調整が可能なフェイスシールド。
▲６▼接着式から、組み立て式への変更による低コスト化。
【課題を解決するための手段】［シールド本体と固定バンドを接着方式から組み立て方式にする事、及びフリーサイズ対応の頭部固定方法を考案することで問題解決］
▲１▼スポンジ系等軽量ソフトタッチな材料を選択することで従来では難しかった赤ちゃん用、子供用フェイスシールドも可能となった。
また金属系材料は全く使用していないため、金属アレルギーの方も安心して使用できる。
▲２▼図１．図２の通り、頭部にフリーサイズで固定できるので女性用、男性用が統合可能となった。
▲３▼接着式から、組み立て式への変更による低コスト化が実現する。
具体的には、接着剤不使用によるコストダウン、及び前述の保管代、輸送費のコストダウン。
▲４▼フェイスシールドをつけた時の顔面に対する角度設定の自由度向上で使い方の幅を広げることが可能となった。
【考案の効果】［使用者の幅の拡大］
ソフトタッチの材料を用い、フリーサイズの頭部固定方法を採用することで赤ちゃん、子供、女性、男性と幅広い人々が使用することが可能となった。
［固定式（接着式）から組み立て式に変更する事の効果］
接着式から、組み立て式への変更による低コスト化が実現する。
具体的には、接着剤不使用によるコストダウン、及び前述の保管代、輸送費のコストダウン。
【図面の簡単な説明】［対象フェイスシールドの図面］
【図１】図面
【図２】図面（組み立てのイメージ写真）
【本案を実施する為の形態】
［組み立て式の超軽量フェイスシールド］
以下、本案考案の実施の実体を図に基づいて説明する。
【実施例１】［図面］
図１は、本考案の図面であってヘッドバンドの片側（左側）にギザギザい加工を施し、他方側（右側）に挿入固定穴を設定し、フリーサイズ対応で頭部に固定できる。
図２はシールド部と頭部バンドの組み立て手順及び完成品単体及び実際に頭部にフェイスシールドを装着した状態を表しております。
【産業上の利用の可能性】
本考案はデパート、ホテル他の接客業の咳・唾液の飛沫防止用途、及び赤ちゃん、子供迄含めた幅広い年代での使用を想定している。
【図１】
0003229189.tif 000003
【図２】
0003229189.tif 000004
【手続補正書】
【提出日】令和2年8月11日(2020.8.11)
【手続補正１】
【補正対象書類名】実用新案登録請求の範囲
【補正対象項目名】全文
【補正方法】変更
【補正の内容】
【実用新案登録請求の範囲】
【請求項１】
デパート、コンビニ、スーパーなどでの対面販売やホテル等の受付での接客時の咳、唾液の飛沫防止対策を目的とする為、フェイスシールドの頭部への固定ベルト片側両サイドをギザギザ形状とし、他一方にベルト挿入用の穴を設置することで、使用者の頭部サイズに合致する位置で、ギザギザの突起部を穴部と嵌合して固定する構造
【請求項２】
フェイスシールドの超軽量化を実現する為、従来の頭部固定ベルトとフェイスシールド接着で固定する方式でなく、フェイスシールド上端２か所に組み立て用の挿入穴を設置して、頭部固定ベルトを挿入穴２か所に通し、フェイスシールド中央部を頭部バンドで固定する構造
(57)【要約】      （修正有）【課題】スロープトイ等で使われるビー玉等の球体を一つずつ安全に収納し、傷つきや破損から守り、且つ、球体を一つずつ取り出すことができる球体収納機構と玩具を提供する。【解決手段】ビー玉等の球体５を、収納スペース２に入れて収納する。取り出す際には円柱形状スペース３に指を入れ、連通口４から見えている球体の側面を指の腹で押し上げて球体を持ち上げ、指で摘み上げる。球体収納機構は、円柱形状スペースの周りに球体の収納スペースを複数設け、その数だけ個別に球体を収納し、球体を一つずつ取り出すことが可能となる。収納を一つずつ個別にすることにより、球体同士がぶつかり合うことを回避し、割れや破損から守る。また、取り出しも一つずつ行うことにより、構造体をひっくり返す必要がなくなり、余分な球体の落下や紛失を防ぐ。【選択図】図１
0003229188.tif 000002
【実用新案登録請求の範囲】
【請求項１】
球体を用いた玩具において、前記球体を収納する球体収納機構であって、
一つの球体を収納する有底筒状スペースの収納スペースであって、前記球体を挿入するための球体挿入口を上方に有する収納スペースと、
前記収納スペースに隣接する隣接スペースであって、上方が開口する有底筒状の隣接スペースと、
前記収納スペースと前記隣接スペースを横方向に隔てる側壁と、を含み、
前記側壁には、前記収納スペースと前記隣接スペースとを連通する、連通口を形成されており、前記連通口の横方向の幅が前記球体の直径よりも小さい、球体収納機構。
【請求項２】
前記収納スペースが複数設けられており、複数の前記収納スペースが、前記隣接スペースの周囲を取り囲むように配置されている、請求項１記載の球体収納機構。
【請求項３】
前記収納スペースが、円筒形状である、請求項１または請求項２記載の球体収納機構。
【請求項４】
前記収納スペースが、断面が多角形形状である、請求項１または請求項２記載の球体収納機構。
【請求項５】
請求功１または請求項２または請求項３または請求項４記載の球体収納機構を積み木の一つまたは収納部として用いた玩具。
【考案の詳細な説明】
【技術分野】
【０００１】  この考案は積み木などに使用されるビー玉等の球体を収納する、球体収納機構に関する。
【背景技術】
【０００２】  従来からスロープトイと呼ばれている傾斜をつけた溝を設けた積み木を連結させる玩具がある。この積み木はいくつかの積み木をつないでビー玉等の球体を転がして遊ぶためのものである。
【考案の概要】
【考案が解決しようとする課題】
【０００３】  しかし、ビー玉等の球体を収納するための機構がなく、巾着袋に入れたりしてまとめているものや器に雑多に入れておくものが多い。そのため球体同士がぶつかり合い、傷付いたり割れたりする恐れがある。本考案はそのようなビー玉等の球体の破損や紛失する収納方法を解決するものである。
【課題を解決するための手段】
【０００４】  上記課題を解決するために、本願考案は球体を使用する構造物の球体収納機構であって、球体が収納される収納スペースは球体の外径よりも大きい直径を有する有底筒状を成したスペースを有し、前記有底筒状スペースの球体挿入口と反対の端部は塞がれており、この有底筒状スペースと隣り合う部分に別の円柱形状スペースを設け、前記有底筒状スペースの側面と隣り合う別の円柱形状のスペースの側面の間を取り去ってつなぐような連通口を設けた事を特徴とする。
【考案の効果】
【０００５】  本願考案により、ビー玉等の球体を一つずつ個別に収納することにより、球体同士の接触を無くし、傷つきや破損の危険から守るものである。
【図面の簡単な説明】
【０００６】
【図１】本考案の球体収納機構の一実施例を示す説明図である。
【図２】本考案の球体収納機構の一部拡大図である。
【図３】本考案の球体収納機構の多角形形状での実施例を示す説明図である。
【図４】スロープトイ全体を示す図である。
【考案を実施するための形態】
【０００７】  図１は本考案の球体収納機構の実施例を示す説明図である。図２は本球体収納機構の一部拡大図である。１は構造体本体である。２は球体が収納される収納スペースである。３は隣り合う部分の別の円柱形状スペースである。４は連通口である。５は球体である。
連通口４は円柱形状スペースと隣り合う部分に別の円柱形状スペースを設け、前記円柱形状スペースの側面と隣り合う別の円柱形状のスペースの側面の間を取り去ってつなぐようにした部分である。
図１においてビー玉等の球体５を、球体が収納される収納スペース２に一つ入れて収納する。取り出す際には円柱形状スペース３に指を入れ、連通口４から見えている球体５の側面を指の腹で押し上げることにより球体５が持ち上がり、そのまま指で摘み上げることが可能となる。これらの機構は、円柱形状スペース３の周りに球体の収納スペース２を複数設け、その数だけ個別に球体を収納することができる。同時に、その球体を一つずつ取り出すことが可能となる。
本願考案により、ビー玉等の球体５を一つずつ個別に収納することにより、球体５同士の接触を無くし傷つきや破損の危険から守るものである。且つ、一つひとつ指で取り出す機構が備えられていることにより、構造体本体１そのものをひっくり返す必要がなく、余分な球体５の落下や転がりなどを経た紛失を防ぎ、遊ぶ際には必要な個数だけを取り出すことができる。
図３は、球体５が収納される収納スペース２、並びに円柱形状スペース３については多角形形状でも同様の効果が得られることを表している一例である。
さらに本願考案は球体５が収納される収納スペース２は前記収納スペースの球体挿入口と反対の端部は塞がれているが、端部が塞がれていなくても収納スペース２の端部に別の積み木等の構造物が実質的に塞ぐように配置されていれば同様の作用効果を有する事は言うまでもない。
図４は玩具の使用例を描いたイラストである。積み木Ａ６と積み木Ｂ７及び積み木Ｃ８は、溝部９を繋げて配置することにより、球体５が転がって積み木から積み木へ移動することが可能となる。
【符号の説明】
【０００８】構造体本体  １
球体が収納される収納スペース  ２
隣り合う部分の別の円柱形状スペース  ３
連通口  ４
球体  ５
積み木Ａ  ６
積み木Ｂ  ７
積み木Ｃ  ８
溝部  ９
【図１】
0003229188.tif 000003
【図２】
0003229188.tif 000004
【図３】
0003229188.tif 000005
【図４】
0003229188.tif 000006
【手続補正書】
【提出日】令和2年8月6日(2020.8.6)
【手続補正１】
【補正対象書類名】実用新案登録請求の範囲
【補正対象項目名】請求項５
【補正方法】変更
【補正の内容】
【請求項５】
請求項１または請求項２または請求項３または請求項４記載の球体収納機構を積み木の一つまたは収納部として用いた玩具。
(57)【要約】      （修正有）【課題】常温保存及び冷蔵保存する食品等に発生するカビを予防する特製密閉容器を提供する。【解決手段】密閉容器は、容器の上蓋２の裏面に設けた突起部３と、突起部３と自在に勘合保持できる突起部４を有する着脱容易な皿５と、下部容器本体１とで構成される。皿に食品等と非接触で嫌黴性物質６（わさび、からし等）を設置して、カビの発生を抑制する。【選択図】図１
0003229850.tif 000002
【実用新案登録請求の範囲】
【請求項１】
容器の上蓋の裏面上に突起部（“ほぞ穴”）を設け、当該突起部と自在に勘合保持出来る突起部（“ほぞ”）を有する着脱容易な皿状の物と下部容器本体で構成される特製密閉容器。
【請求項２】
市販の密閉容器の上蓋の裏面に接着すべく用意された部品（“ほぞ穴”）と、当該部品と自在に勘合保持出来る突起部（“ほぞ”）を有する着脱容易な皿状の部品で構成される。
【考案の詳細な説明】
【技術分野】
【０００１】  本考案は嫌黴性物質を容易に備えられる密閉容器及び部品に関するものである。
【背景技術】
【０００２】  食品を主とした“生もの”を保存する場合、カビやばい菌の発生に注意する必要があり、冷蔵庫をよく使用するが、それでもカビやばい菌が発生することがある。
カビやばい菌が発生した食品は食用に供せないのでその対応が必要である。
【先行技術文献】
【特許文献】
【非特許文献】
【０００３】
【非特許文献１】「三菱ケミカルフーズ株式会社ホームページ⇒製品情報⇒抗菌鮮度保持剤⇒ワサオールＦＮ⇒“わさびの守り神”」
【非特許文献２】「パナソニック⇒エアコン部品⇒ＣＺ‐ＳＷ６Ａ“カビストッパー」
【非特許文献３】「日立製作所⇒エアコン部材⇒ＳＰＷＣ１“防カビわさびカセット”」
【考案の概況】
【考案が解決しようとする課題】
【０００４】  “わさび”や“からし”などの辛味成分に防カビ、防虫、抗菌作用があることが分かっており、食品の防カビ剤や空気の清浄剤として製品化され一般的に使用されている。
しかし一般家庭の食品の防カビ保存用としては使用勝手が悪くかつ価格が高価であり使用が進んでいない。（“わさび”と“からし”を“わさび”に統一して表記する。）
【課題を解決するための手段】
【０００５】  本考案は一般家庭で日常的に使用されている食品保存用密閉容器内に簡単に食品と非接触で“練わさび”を設置できるようにして、市販されている”練わさび”や”粉わさび“を練った物、或いは”生わさび“をおろして使用する。
【考案の効果】
【０００６】  上述のように“練わさび”を使用することにより、安価で簡単に防カビ効果が得られる。さらに使用時間が長くなれば“練わさび”の交換により防カビ効果が更新できる。さらに万が一“練わさび”が食品に接触しても“わさび”自体が人体に無害であるから安心である。
【図面の簡単な説明】
【０００７】
【図１】  本考案の密閉容器の上蓋と一体成型で設置された突起部（“ほぞ穴”）と突起部（“ほぞ”）を有する着脱容易な「“練わさび”皿」を取り付け、密閉容器本体に取り付ける実施例図である。“ほぞ”と”ほぞ穴“の先端にはそれぞれ段を有し、抜けを防止している。
【図２】  市販の密閉容器の上蓋裏に貼り付け設置する突起物（“ほぞ穴”）と突起物（“ほぞ”）を有する着脱容易な「“練わさび”皿」の図である。“ほぞ”と”ほぞ穴“の先端にはそれぞれ段を有し、抜けを防止している。
【考案を実施するための形態】
【０００８】  “練わさび”を「“練わさび”皿」に塗り付けて、密閉容器内に取り付けて、密閉容器内に設置する。やがて、ワサビの辛味成分が昇華して密閉容器内に充満することにより、防カビ作用が効果を発揮する。
【実施例】
【０００９】  以下、添付図面に従って実施例を説明する。密閉容器は１と２で基本構成され、４と５が一体成型された「“練わさび”皿」に“練わさび”を塗り付け、２と３が一体成型された上蓋に装着して、食品などの入った密閉容器本体１に吊り下がった状態で装着する。【００１０】  市販の密閉容器は１と２で構成され、２の上蓋裏に“ほぞ穴”を有する突起物３を貼り付け、５の「“練わさび”皿」には“ほぞ”を有する突起物４が一体成型されている。
「“練わさび”皿」に“練わさび”を塗り付け、食品などの入った密閉容器１に吊り下がった状態で装着する。【００１１】本考案の実施例０００１０と００１１とは容器本体上蓋にそれぞれ突起物（“ほぞ穴”）が一体成型されているか、後つけで貼り付けされているかの違いである。
【符号の説明】１  容器本体
２  容器上蓋
３  “ほぞ穴”を有する突起物
４  “ほぞ”を有する突起物
５  “練わさび”皿“
６  “練わさび“
【図１】
0003229850.tif 000003
【図２】
0003229850.tif 000004
【手続補正書】
【提出日】令和2年9月16日(2020.9.16)
【手続補正１】
【補正対象書類名】実用新案登録請求の範囲
【補正対象項目名】全文
【補正方法】変更
【補正の内容】
【実用新案登録請求の範囲】
【請求項１】
容器の上蓋の裏面に突起物を設け、当該突起部と自在に勘合保持できる突起部を有する着脱容易な皿状の物と下部容器本体で構成される特製密閉容器。
【請求項２】
密閉容器の上蓋の裏面に接着すべく用意された部品と、当該部品と自在に勘合保持できる突起部を有する着脱容易な“わさび皿”
(57)【要約】      （修正有）【課題】動力を使わず一般の遊戯者が各部を動かす事もなく形状を変化させるリアルに動く玩具を提供する。【解決手段】リアルに動く玩具は、本体２に頭部１、尻部３を取付け、中に挿入したボール４が動くことで頭部１を押すことにより軸５を中心に回転動作をする。尻部３も同等の動きをする。【選択図】図１
0003229848.tif 000002
【実用新案登録請求の範囲】
【請求項１】
製品を傾ける事により内部に収納されたボールが転がり頭部及び尻部に移動する。移動したボールの位置により頭部及び尻部が押されリアルに動く玩具。
【考案の詳細な説明】
【技術分野】
【０００１】本考案は、動力を使わず、製品を傾けたりして中に隠れているボールを左右に動かすと、ボールの位置によって製品の頭部や尻部がリアルに動く玩具に関するものである。
【背景技術】
【０００２】一般に遊戯者が各部を動かして形状を変えるようになっている。機構的に各部を作動させるための動力を用いるものとなっている。
【考案の概要】
【考案が解決しようとする課題】
【０００３】本項案は、動力を使わず一般の遊戯者が各部を動かす事もなく形状を変化させリアルに動くものである。
【課題を解決するための手段】
【０００４】本項案は、中に隠れているボールが動くことで頭部及び尻部を押すことにより各部を作動させることを特徴とするものである。
【考案の効果】
【０００５】上述のように、本項案の不思議な動きをする玩具は動力を用いるものではなく自然の力によって動くものであるため遊戯者の感性を高め安らぎを与える。
【図面の簡単な説明】
【０００６】
【図１】本項案の側面図である。
【符号の説明】
【０００７】（１）頭部
（２）本体
（３）尻部
（４）ボール
（５）軸
【図１】
0003229848.tif 000003
【手続補正書】
【提出日】令和2年9月16日(2020.9.16)
【手続補正１】
【補正対象書類名】実用新案登録請求の範囲
【補正対象項目名】全文
【補正方法】変更
【補正の内容】
【実用新案登録請求の範囲】
【請求項１】
製品を傾ける事により  内部に収納されたボールが転がり頭部及び尻部に移動し、ボールで頭部及び尻部の一部を動かす事により頭部及び尻部がリアルに動く玩具。
(57)【要約】      （修正有）【課題】伸縮性の素材であればどのような素材も活用でき、子供から大人まで様々なサイズに適用できるマスクの調製キットとマスクを提供する。【解決手段】顔面の鼻及び口を覆うマスク１であって、長方形の伸縮性生地の両短辺の中点より短い位置から一方の長辺の中点を結ぶ線に沿って切断されて形成される概五角形状で、その短辺両端に概並行の位置に切込みを設ける。マスク１の調整キットは、マスク１を調整するための伸縮性生地と型紙を備える。【選択図】図１
0003229896.tif 000002
【実用新案登録請求の範囲】
【請求項１】
顔面の鼻及び口を覆うマスクであって、長方形の伸縮性生地の両短辺の中点より短い位置から一方の長辺の中点を結ぶ線に沿って切断されて形成される概五角形状で、その短辺両端に概並行の位置に切込みを設けたことを特徴とするマスク。
【請求項２】
請求項１に記載のマスクを調製するための伸縮性生地と型紙を備えることを特徴とするマスク調製キット。
【考案の詳細な説明】
【技術分野】
【０００１】  本考案は保健衛生、感染予防に供する顔面マスクに関するものである。
【背景技術】
【０００２】  非特許文献１に開示されているのようにマスクは布、不織布などの素材にゴム紐等を付けて耳に懸けるものが主に使われている。不織布を特殊な形状に型抜きしたもので、耳懸け部とマスク部が一体に成型されているプリーツ型のものもある。しかしこれらは部品点数が多く製造工程が多段階に及ぶものであったり、特殊な金型と型抜き装置が必要であったりしている。
【先行技術文献】
【非特許文献】
【０００３】
【非特許文献１】ウエブページ（ｈｔｔｐｓ：／／ｓｅａｒｃｈ．ｒａｋｕｔｅｎ．ｃｏ．ｊｐ／ｓｅａｒｃｈ／ｍａｌｌ／マスク／）
【考案の概要】
【考案が解決しようとする課題】
【０００４】  本考案の課題は、マスクの製造工程を簡単にして、伸縮性の素材であればどのような素材も活用でき、子供から大人まで様々なサイズに適用できるマスクの調製キットとマスクを提供することである。
【課題を解決するための手段】
【０００５】  顔面の鼻及び口を覆うマスクであって、長方形の伸縮性素材の両短辺の中点より短い位置から一方の長辺の中点を結ぶ線に沿って切断されて形成される概五角形状で、その短辺両端に概並行の位置に切込みを設けたことを特徴とするマスク。
前記記載のマスクを調製するための伸縮性生地と型紙を備えることを特徴とするマスク調製キット。
【考案の効果】
【０００６】  いつでも、どこでも大中小サイズ選択自由自在の切り込み加工だけで製造、調製できるマスク及びマスク調製キットを提供できる。
【図面の簡単な説明】
【０００７】
【図１】  本考案のマスクの平面図
【図２】  本考案のマスク調製用キットに具備される型紙の形状図
【図３】  本考案のマスクの使用後の状態図
【考案を実施するための形態】
【０００８】  顔面を覆うことができるサイズを有する伸縮性の生地と概ね同じサイズの型紙を用意する。型紙上には図２に示すような切り取りガイドを示す線が予め描かれている。
マスク生地の上に型紙を重ね、型紙と生地がずれないようにステプラー等で留める。調製しようとするマスクのサイズを選択して、耳掛け部のスリットとマスクの形状ラインに従ってハサミ、カッターナイフ等で生地を切断する。切断したものが即マスクとして使用できる。
【産業上の利用可能性】
【０００９】  感染防止用のマスクとその調製用キットとして利用できる。
【符号の説明】
【００１０】１  マスク
２  耳掛けのための切り込み
３  型紙
４  マスク成形用切り取りライン
５  耳掛け用切り込みライン
【図１】
0003229896.tif 000003
【図２】
0003229896.tif 000004
【図３】
0003229896.tif 000005
(57)【要約】      （修正有）【課題】マスク本来の機能性を高め、かつ、長時間の利用に耐えうる高機能マスクを提供する。【解決手段】口及び鼻孔を含む顔面の一部を覆うマスク本体１と、マスク本体と同素材を利用した左右の耳掛け部４を有するマスクであって、マスク本体は伸縮性を有する水着素材を利用し、インナーにマスクマット２を配置する。感染症対策、通気性、及び、繰り返し使用するための洗浄や消毒が素早くできる。【選択図】図２
0003229892.tif 000002
【実用新案登録請求の範囲】
【請求項１】
水着素材で形成された口及び鼻孔を含む顔面の一部を覆うマスク本体と、当該マスクを着用時に耳に係止する際、マスク本体と同素材を利用した左右の耳に耳掛け部を有するマスク。前記マスク本体は伸縮性を有する水着素材利用し、インナーにマスクマットを配置することで、感染症対策、通気性、及び、繰り返し使用するため簡単に手で洗えたり消毒が素早くできる構造を特徴としたマスク
【考案の詳細な説明】
【技術分野】
【０００１】  本考案は、マスク機能性向上を目指しより使いやすくし、より安全、簡単、便利にマスク機能を高めることができるようにする技術に関する。
【背景技術】
【０００２】  従来のマスクは、ガーゼや不織布からなる生地で構成された本体に、プリーツが形成され、口及び鼻孔を含む顔面の一部を覆う際、プリーツが上下に広がり顔の凹凸形状に添わせることを可能にしている。また着用時に左右の耳に係止するためのゴム等による耳掛け部で形成されたマスク等があった。【０００３】  また、産業用のマスクにおいては、粉塵の多い現場で用いられるマスクの医療用のマスクとしてＮ９５と呼ばれる規格医療用マスクがある。
【考案の概要】
【考案が解決しようとする課題】
【０００４】  以上に述べた従来の構造には、次のような課題があった。ガーゼや不織布からなる生地においては、プリーツが上下に広がることで顔面の凹凸に沿うことになるが、顔面とマスクの間に隙間が生じやすく、また特に夏場室外においては、マスク内の蒸れが息苦しく長時間使用には不快感が生じる傾向にあった。【０００５】  前記Ｎ９５規格医療用マスクにおいては、目が細かいため、付けると息苦しく、また男女多種多様な顔面の凹凸に合わせたフィット率が非常に悪く、サイズを複数取り揃えなければならないという欠点があった。【０００６】  さらに、長時間の利用により耳に係止したゴム跡が、ほほにつくことになり、特に見た目を気にする女性から敬遠される傾向にあった。【０００７】  本考案は、このような従来の構造が有していた問題を解決しようとするものであり、長時間の使用にも耐え、かつ、感染力のあるウィルスを吸着させて通さない繰り返し利用することができるマスクを提供することを目的とするものである。
【課題を解決するための手段】
【０００８】  本考案は、伸縮性のあるツーウェイ素材を使用した水着生地をマスク本体に使用し、またマスク着用時耳に係止させる耳掛け部も同水着素材において耳掛け部を形成し、さらにマスク内側にマット状のインナーを設置したものである。
【考案の効果】
【０００９】  上述の様に、水着の生地は伸縮性に優れ伸びの圧力が適度な力で顔面の凹凸に合わせて密着することとなる。また耳掛け部を同水着素材により５ｍｍ程度幅広で構成することで、長時間の利用に対し、耳に程よい圧力でかけ続けることができる。【００１０】  また、伸縮性のあるツーウェイ素材を使用した水着生地を利用することで、マスク着用時男女多種多様な顔面の凹凸のフィット率が非常に優れておりフリーサイズ１種類でよく、在庫管理、経済性に優れている。【００１１】  長時間使用に関しては、素材の特性により空気の流通がスムーズであり、乾燥しやすい性質で、繰り返し使用するために洗濯、消毒が容易である。【００１２】  また、ウイルス除去対策として、マスク内部にマスクマットを設置することで、ウイルスを二重三重に除去できる構造とした。
【図面の簡単な説明】
【００１３】
【図１】本考案の実施例のマスクの正面図である。
【図２】本考案の実施例のマスクの裏面図である。
【考案を実施するための形態】
【００１４】  伸縮性のあるツーウェイ素材を使用した水着生地をマスク本体に使用し、マスク着用時耳に係止させる耳掛け部も同水着素材において耳掛け部を形成する。また、マスク内側には、ウイルスの侵入を防ぐマット状のインナーを設置する。
【実施例】
【００１５】  以下、添付図面に従って一実施例を説明する。本考案は図１に示すように水着素材を利用した本体１と同水着素材で構成された耳掛け部４、およびマスク内側に配置するインナーマット２にて構成されている。【００１６】  マスク内側に配置するインナーマット２でマスク裏に重ねることで、ウイルスの除去作用を高めることができる。【００１７】  マスクインナーマット２は、数枚重ねる事も可能である。【００１８】  マスク内側に配置するインナーマット２構造については、一層にポリエステルの綿、二層に水着の布地、三層に１ｃｍ厚みのポリエステル綿構造となっている。マスクマット２の構造については本考案の目的及び効果を生じる範囲で必要に応じて適宜変更して実施することも可能である。【００１９】  上記の構造を特徴とするマスクである。【００２０】  なお、本考案は上記考案実施形態に限定されるものではなく、本考案の技術的思想に合致するものであれば、形状、素材など適宜変更し実施することが可能である。
【符号の説明】
【００２１】    １  マスク本体
２  インナーマット
３  マスク縫製部
４  耳掛け部
【図１】
0003229892.tif 000003
【図２】
0003229892.tif 000004
【手続補正書】
【提出日】令和2年9月24日(2020.9.24)
【手続補正１】
【補正対象書類名】実用新案登録請求の範囲
【補正対象項目名】全文
【補正方法】変更
【補正の内容】
【実用新案登録請求の範囲】
【請求項１】
水着素材で形成された口及び鼻孔を含む顔面の一部を覆うマスク本体と、当該マスクを着用時に耳に係止する際、マスク本体と同素材を利用した左右の耳に耳掛け部を有するマスクであって、前記マスク本体は伸縮性を有する水着素材利用し、インナーにマスクマットを配置することで、感染症対策、通気性、及び、繰り返し使用するため簡単に手で洗えたり消毒が素早くできる構造を特徴としたマスク。
(57)【要約】      （修正有）【課題】雑草を刈り取る際に手指や手の甲を負傷することなく、握力の弱い子や老人でも使い勝手が良い安全な草刈り鎌を提供する。【解決手段】刃部１と、柄部２と、刃部と柄部とを連結するスペーサー３とから構成される草刈り鎌であって、スペーサーは、柄部の先端部に取り付けられる柄固定部と、該柄固定部から下方に伸びて刃部を固定する刃固定部とから構成されている。柄部は棒状とされると共に、スペーサーは柄部の外周よりも外方に変位して刃固定部が形成されており、この変位した刃固定部に刃部が取り付けられている。【選択図】図１
0003229854.tif 000002
【実用新案登録請求の範囲】
【請求項１】
刃部と、柄部、前記刃部と前記柄部とを連結するスペーサーとからなる草刈り鎌であって、前記スペンサーは前記柄部の先端部に取り付けられる、柄固定部と該柄固定部から下方に伸びて前記刃部を固定する刃固定部とから構成されている事を特徴とする草刈り鎌。
【請求項２】
前記柄部は棒状とされると共に、前記スペーサーは前記柄部の外周よりも外方に変位して前記刃固定部が形成されており、個の変位した刃固定部に前記刃部が取り付けられている事を特徴とする請求項１記載の草刈り鎌。
【考案の詳細な説明】
【技術分野】
【０００１】本考案は、庭などの地面に生えている雑草を刈り取る草刈り鎌に関するものである。
【背景技術】
【０００２】庭などに生えている雑草を草刈り鎌で刈り取る際、草刈り鎌柄部を握って草刈りをするがこの時に柄部を握る手指や手の甲などが地面と接触して負傷したりすることがある。子供や老人など握力の弱い方などは使い勝手が悪いということもあった。
【考案の概要】
【考案が解決しようとする課題】
【０００３】本考案は、雑草を刈り取る際に手指や手の甲を負傷することなく、握力のの弱い子供や老人でも使い勝手の良い安全な草刈り鎌を提供するすることを課題とする。
【課題を解決するための手段】
【０００４】本考案は、上記した課題を解決するために、刃部と、柄部と、前記刃部と前記柄部とを連結するスペーサーとから構成される草刈り鎌であって、前記スペーサーは、前記柄部の先端部に取り付けられる柄固定部と、該柄固定部から下方に伸びて前記刃部を固定する刃固定部とから構成されていることを特徴とする。
【考案の効果】
【０００５】本考案においては、庭などに生えている雑草を草刈り鎌で刈り取る際、草刈り鎌の刃部が柄部から下方に変位した位置に取り付けられているので柄部を握った際に地面との間に隙間が形成されるため手指や手の甲などが地面と接触し難くなり、その結果手指や手の甲を負傷することを防ぐことができる。また、刃部が柄部よりも下方に変位しているため、雑草の根元に近いところから刈り取ることが可能となる利点もある。
【図面の簡単な説明】
【０００６】
【図１】本考案の実施例を示す斜視図。
【図２】本考案の実施例を示す分解図。
【図３】本考案のスペーサーの斜視図。
【図４】本考案の主要部の分解斜視図
【図５】本考案の使用状態を表す概略図。
【考案を実施するための形態】
【実施例】
【０００７】本考案の実施例について図面に基ずいて説明する。本考案の草刈り鎌Ａは刃部１と、木材で構成された円柱状の柄部２と、前記刃部１と前記柄部２とを連結するスペーサー３とから構成されている。前記した刃部１は基部１ａと、該基部１ａから先端部にかけてアーチ状に湾曲した刃先１ｃから構成されてる。【０００８】前記スペーサー３は例えば樹脂材などで成形され、前記柄部２の先端部２ａが挿入固定される挿入部３ａが形成された柄固定部３ｂと、該柄固定部３ｂから下方に伸びて前記刃部１の基部１ａを固定する刃固定部３ｃとから構成されている。この刃固定部３ｃは、前記刃部１の基部１ａの厚みとほぼ同じ厚みの深さの凹部３ｂが形成されている。【０００９】前記した刃部１は、その基部１ａが前記刃固定部３ｃの凹部３ｂに嵌め込まれた状態で、ビス４，５によって柄部２に固定されるようになっている。その際、ビス４，５はスペーサー３に形成された挿通口３ｅ、３ｆを通して柄部２に固定されるようになっている。なおスペーサー３には軽量化のため開口３ｇが形成されている。【００１０】なお、柄部２は木材で円柱状に成型されているが、材質は木材に限ることなく樹脂材で構成しても良く、また、円柱状の柄部２は真円でなく楕円状でも良いものである。さらに、柄部２に所定の厚みを持たせた滑り止め機能を有する緩衝材６を取り付けても良いものである。【００１１】上記した本考案の場合、市販されている草刈り鎌の柄部と刃部とを分解して、この柄部２と刃部１とを本考案のスペーサ３で接続してビス４，５で結合することも可能である。また、刃部１が摩耗したり欠損した場合は、刃部１のみを交換する事ができる。この場合は、刃部の替え刃を用意しておくと良い。こうすることで、破損し易い刃部のみを交換することが出来るようになり、柄部２が再利用できるため、経済的に有利となる利点がある。【００１２】上記した本考案によれば、雑草の草刈りを行う際に、草苅り鎌Ａの刃部１を地面近くまで下げたとしても柄部２を握った手指は地面まで到達しないため手指が地面と接触して負傷することがなくなる。なお、草刈り鎌Ａの柄固定部３ｂから下方に伸びる刃固定部３ｃまでの距離を長くすれば手指が地面に接触する可能性は低くなるが、逆に草刈の操作がし難くなる可能性があるため、柄固定部３ｂから下方に伸びる長さを手指の厚みより少し長くなる程度にするのが良い。
【符号の説明】
【００１３】１      刃部
２      柄部
３      スペーサー
４・５  ビス
【図１】
0003229854.tif 000003
【図２】
0003229854.tif 000004
【図３】
0003229854.tif 000005
【図４】
0003229854.tif 000006
【図５】
0003229854.tif 000007
【手続補正書】
【提出日】令和2年9月15日(2020.9.15)
【手続補正１】
【補正対象書類名】実用新案登録請求の範囲
【補正対象項目名】全文
【補正方法】変更
【補正の内容】
【実用新案登録請求の範囲】
【請求項１】
刃部と、柄部と前記刃部と前記柄部とを連結するスペーサーとからなる草刈り鎌であって、前記スペーサーは前記柄部の先端部に取り付けられる柄固定部と、該柄固定部から下方に伸びて前記刃部を固定する刃固定部とから構成されている事を特徴とする草刈り鎌。
【請求項２】
前記柄部は棒状とされると共に、前記スペーサーは前記柄部の外周よりも外方に変位して前記刃固定部が形成されており、この変位した刃固定部に前記刃部が取り付けられている事を特徴とする請求項１記載の草刈り鎌。